(57)【要約】【課題】本発明は、褥瘡発生の危険を持つ患者をいち早く確実に発見し、迅速な褥瘡看護を実施できるとともに、個別患者の褥瘡状態の進捗状況を時系列で把握できる看護支援システムを提供することを課題とする。【解決手段】本発明の1つは、褥瘡アセスメント、褥瘡情報画面において、最新の情報と並べて前回及び必要に応じて前々回の褥瘡情報を並べて表示できるようにしたことを特徴とする。また、本発明の他の一つは、複数の項目からなる患者情報を並べて一覧表にした褥瘡管理画面を有し、褥瘡項目のいずれかにおいて、前回評価より悪化した項目が１以上あるときは、前記患者情報の特定行の背景色または文字色を変更できるようにしたことを特徴とする。さらに、本発明の他の一つは、特定行の背景色または文字色を、褥瘡状況の進行状況に応じて、治癒、警戒、変化無し、悪化に対応した指定色で着色できるようにしたことを特徴とする。【選択図】図３
2006330951.tif 000002
【特許請求の範囲】
【請求項１】
病室ユニットとの間で相互に呼出、通話が可能なナースコール親機と前記ナースコール親機との間で患者、看護データを送受できる看護支援パソコンとを有する看護支援システムにおいて、患者別の褥瘡アセスメント、褥瘡情報を入力および表示できる画面を有し、少なくとも、前記褥瘡アセスメント、褥瘡情報画面において、最新の情報と並べて前回及び必要に応じて前々回の褥瘡情報を並べて表示できるようにしたことを特徴とする看護支援システム。
【請求項２】
複数の項目からなる患者情報を並べて一覧表にした褥瘡管理画面を有し、前記患者情報は、患者名、年齢のほかに、褥瘡項目として、自立度、アセスメントスケール、褥瘡有無、進達度分類、褥瘡評価、褥瘡看護計画、次回評価日等、褥瘡に関する項目の中から選択された必要な項目を有し、前記褥瘡項目のいずれかにおいて、前回評価より悪化した項目が１以上あるときは、該当する患者行の背景色または文字色を変更できるようにしたことを特徴とする請求項１記載の看護支援システム。
【請求項３】
一覧表にした前記褥瘡管理画面において、各患者の褥瘡状況が、変化無し、軽快、悪化、治癒のどれに対応するかにより、当該患者欄の背景色、または文字色を指定色で着色することを特徴とする請求項１または請求項２記載の看護支援システム。
【発明の詳細な説明】
【技術分野】
【０００１】
本発明は、病院や介護施設において、看護師や介護師等の医療スタッフに対する看護支援 を行うために使用される看護支援システムに係り、特に、患者の褥瘡管理に便利な看護支援システムに関する。
【背景技術】
【０００２】
特許文献１に示されているように、ナースコール親機の表示画面に患者情報に加えて、対応する患者の要介護状態区分および救護区分を表示するものは公知である。
【０００３】
【特許文献１】・・・・特開２００５−０３４１９７号公報
【発明の開示】
【発明が解決しようとする課題】
【０００４】
病院や介護施設における患者看護の現場において、患者の褥瘡問題にいかに適切に対処するかは共通の課題となっているが、残念ながら、前記公知例には解決案は示されていない。
褥瘡の発生は、患者の苦痛を伴い、看護の質が問われる。場合によっては、看護管理の不十分さが指摘され、医療事故と同様の扱いを受けかねない問題である。
褥瘡の発生を予防することは看護の質を高め、安全と安楽の保証となる。すべての患者に褥瘡発生の予防ケアを実施することが理想であるが、現実は膨大な看護業務に追われ、実施困難である。
そこで、我々は、褥瘡発生の危険を持つ患者をいち早く確実に発見し、迅速な褥瘡看護を実施できるとともに、個別患者の褥瘡状態の進捗状況を時系列で把握できる看護支援システムを提供することを課題とする。
【課題を解決するための手段】
【０００５】
本発明の1つは、褥瘡アセスメント、褥瘡情報画面において、最新の情報と並べて前回及び必要に応じて前々回の褥瘡情報を並べて表示できるようにしたことを特徴とする。
【０００６】
本発明の他の一つは、複数の項目からなる患者情報を並べて一覧表にした褥瘡管理画面を有し、褥瘡項目のいずれかにおいて、前回評価より悪化した項目が１以上あるときは、前記患者情報の特定行の背景色または文字色を変更できるようにしたことを特徴とする。
【０００７】
本発明の他の一つは、特定行の背景色または文字色を、褥瘡状況の進行状況に応じて、治癒、警戒、変化無し、悪化に対応した指定色で着色できるようにしたことを特徴とする。
【発明の効果】
【０００８】
本発明によれば、個人別の褥瘡アセスメント、褥瘡情報画面において、最新の情報と並べて前回及び必要に応じて前々回の褥瘡情報を並べて表示することにより対比できるようにしたため、褥瘡状況の時系列上の変化を明確に把握することができる。
【０００９】
本発明によれば、患者別の一覧表の画面において、褥瘡項目のいずれかが前回の評価に対し、悪化している患者があれば、その患者情報の行の背景色が、悪化が認められない他の患者の患者情報行と区別できる背景色に変わるため、一目で、悪化した患者を確認することができる。
【００１０】
また、本発明によれば、患者別の一覧表の画面において、褥瘡状態が、治癒、変化無し、軽快、悪化のいずれの状態にあるか患者別に色の違いで簡単に判別できる。
【発明を実施するための最良の形態】
【００１１】
図１は、この発明の一実施形態に係わる看護支援システムの概略構成図である。なお、この実施形態では病棟に設置されるナースコールシステムを例にとって説明する。
【００１２】
ナースコールシステムは、各病室にそれぞれ設置される病室ユニット１１〜１ｎと、ナースセンタに設置されるナースコール親機２とを備え、これらの病室ユニット１１〜１ｎとナースコール親機２との間はそれぞれ通信線路を介して接続される。またナースコールシステムは、例えば病院内の通信センタに設置されるハンディナースコール主装置３及び構内交換機（ＰＢＸ：Ｐｒｉｖａｔｅ
Ｂｒａｎｃｈ Ｅｘｃｈａｎｇｅ）４を備え、ハンディナースコール主装置３には無線ユニット６が接続され、またＰＢＸ４は公衆網５に接続される。
【００１３】
さらに、上記ナースコール親機２は、例えばＬＡＮ（Ｌｏｃａｌ
Ａｒｅａ Ｎｅｔｗｏｒｋ）７を介して看護支援パソコン９に接続される。看護支援 パソコン９は、看護支援のための種々情報を記憶し管理する。なお、１０は上記看護支援
パソコン９に記憶されたデータをプリントアウトするために使用されるプリンタ、８は上記看護支援パソコン９及びプリンタ１０をＬＡＮ７に接続するためのハブである。
【００１４】
病室ユニット１１〜１ｎは、病室の天井等に設置されたマイクロホン１０１及びスピーカ１０２と、トイレ・浴室用押しボタン１０３と、代表廊下灯１０４と、復旧ボタン１０５とを備え、これらはＩ／Ｏユニット１０６を介して個別情報廊下灯１０７に接続される。
【００１５】
また病室ユニット１１〜１ｎは、ハンド型子機１０９及び握り押しボタン１１０を備え、これらは病床の壁に設けられた壁埋め込み型子機１０８を介して上記個別情報廊下灯１０７に接続される。
【００１６】
このうち、握り押しボタン１１０及びトイレ・浴室用押しボタン１０３は患者が看護師を呼び出す際に使用するもので、その操作信号はそれぞれ壁埋め込み型子機１０８又はＩ／Ｏユニット１０６を介して個別情報廊下灯１０７に伝えられる。
【００１７】
また、壁埋め込み型子機１０８に設けられた押しボタンが押下された場合にも、操作信号が個別情報廊下灯１０７に伝えられる。個別情報廊下灯１０７は、上記各押しボタンの操作信号を受信すると、自身の表示部に呼出の発生を表示する。またそれと共に、呼出信号を生成してナースコール親機２へ送信する。呼出信号には、押しボタンの番号又はアドレス情報が挿入される。
【００１８】
マイクロホン１０１とスピーカ１０２、ハンド型子機１０９及び壁埋め込み型子機１０８は、患者が呼出に対し応答した看護師と通話を行うために使用するもので、その通話信号は通話路を介してナースコール親機２へ送信される。通話路は、ナースコール親機２において看護師が患者の呼出に対し応答操作することにより確立される。なお、復旧ボタン１０５は上記呼出をリセットする場合に使用される。
【００１９】
ハンディナースコール主装置３は、例えば構内ＰＨＳ（Ｐｅｒｓｏｎａｌ
Ｈａｎｄｙｐｈｏｎｅ Ｓｙｓｔｅｍ）対応の交換装置からなるもので、交換制御部やタイムスイッチの他に、複数の内線インタフェースと、局線インタフェースと、保守インタフェースとを備える。
【００２０】
内線インタフェースにはそれぞれ無線ユニット６の無線基地局６１，６２が接続される。無線基地局６１，６２はそれぞれ無線エリアを形成し、この無線エリア内に存在する携帯端末７１〜７ｍとの間で無線回線を介して接続される。局線インタフェースにはＰＢＸ（Ｐｒｉｖａｔｅ
Ｂｒａｎｃｈ Ｅｘｃｈａｎｇｅ）４が接続される。 
【００２１】
図２は本発明の看護支援システムにおけるナースコール親機２の機能構成を示すブロック図である。
すなわち、ナースコール親機２は、制御部として例えばマイクロコンピュータを使用する中央処理ユニット（ＣＰＵ；Ｃｅｎｔｒａｌ Ｐｒｏｃｅｓｓｉｎｇ Ｕｎｉｔ）２０を備える。
【００２２】
このＣＰＵ２０には、プログラムメモリ２１及びデータメモリ２２が接続されており、さらに通信インタフェース２３，２４と、ネットワークインタフェース２５と、通話インタフェース２６と、入力表示インタフェース２７がそれぞれ接続されている。
【００２３】
このうち通信インタフェース２３は、ＣＰＵ２０の制御の下、上記各病室ユニット１１〜１ｎとの間で信号の伝送を行う。同様に通信インタフェース２４は、ＣＰＵ２０の制御の下、上記ハンディナースコール主装置２４との間で信号の送受信を行う。ネットワークインタフェース２５は、ＣＰＵ２０の制御の下、上記ＬＡＮ７との間で信号の送受信を行う。
【００２４】
通話インタフェース２６には、看護師が患者との間で通話を行うために使用するマイクロホン２６１及びスピーカ２６２が接続されている。通話インタフェース２６は、病室ユニット１１〜１ｎとの間に通話路が形成された状態で、マイクロホン２６１から出力された話者の送話信号を符号化してＣＰＵ２０へ出力すると共に、ＣＰＵ２０から供給された受話データを復号して受話信号を再生し、この受話信号をスピーカ２６２から拡声出力する。またスピーカ２６２は、患者から呼出が発生した時に鳴音やメロディを出力する際にも使用される。
【００２５】
入力表示インタフェース２７には、タッチパネル／表示器２７１が接続される。タッチパネル／表示器２７１は、例えばＣＲＴ（Ｃａｔｈｏｄｅ
Ｒａｙ Ｔｕｂｅ）又はＬＣＤ（Ｌｉｑｕｉｄ Ｃｒｙｓｔａｌ Ｄｅｖｉｃｅ）からなる表示器の表示画面上に透明感圧シートを貼付したもので、情報の表示機能と入力機能とを併せ持っている。
【００２６】
入力表示インタフェース２７は、ＣＰＵ２０から供給された表示情報を上記タッチパネル／表示器２７１に表示すると共に、タッチパネル／表示器２７１において入力された操作情報をＣＰＵ２０に供給する。
【００２７】
データメモリ２２には、この発明を実施するために必要なデータベースとして、褥瘡履歴データベース２２ａと、褥瘡評価基準マスタ２２ｂと、在院履歴データベース２２ｃが設けられている。
【００２８】
このうち在院履歴データベース２２ｃは、患者の過去及び現在における在院履歴情報を記憶するもので、在院履歴情報は看護支援パソコン９からＬＡＮ７を介して伝送される基本データにより定期的に更新される。在院履歴情報は、各患者の氏名及びＩＤ（Ｉｄｅｎｔｉｆｉｃａｔｉｏｎ
Ｄａｔａ）に対応付けて、当該患者の在院期間、在院時の病棟及び病室番号、属性情報をそれぞれ記憶すると共に、担当病院スタッフ、在院期間中における外出（外泊）先、見舞客を表す情報等も記憶したものである。なお、属性情報には、患者の年齢、性別、住所、連絡先電話番号、病名等が含まれる。
【００２９】
褥瘡履歴データベース２２ａは、患者の過去及び現在における褥瘡履歴情報を記憶するものである。また、褥瘡評価基準マスター２２ｂは、日常生活自立度基準、褥瘡評価基準、危険因子評価基準、褥瘡深達度分類などが含まれる。その中で、自立生活自立度基準は、厚生労働省推奨の、寝たきり度を判定する日常生活自立度基準に基づいており、また、褥瘡発生危険度を判断する基準は、ブレーデンスケール、Ｋ式スケール、大浦式スケール、ブレーデンとＫ式の複合スケール、ブレーデンと大浦式の複合スケール、Ｋ式と大浦式の複合スケールを任意に選択できる構成になっている。
【００３０】
褥瘡評価基準マスター２２ｂには、深達度分類を３段階に定義した深達度分類基準や褥瘡記録のためのＤＥＳＩＧＮ−Ｐが本実施例では含まれている。
【００３１】
プログラムメモリ２１には、この発明の一実施形態を実現するためのプログラムとして、褥瘡入力プログラム２１ａ、褥瘡評価プログラム２１ｂ、褥瘡管理表プログラム２１ｃ、画面表示および帳票印刷用の出力制御プログラム２１ｄが格納されている。
【００３２】
図３は、褥瘡管理の初期画面として表示されるもので、患者別の褥瘡状態を示す一覧表であり、自立度、ＫＳ・ＯＳ（Ｋ式と大浦式の複合式スケール）、褥瘡評価、褥瘡看護計画、次回評価日、治療計画書、転帰報告書などの項目から構成されている。
【００３３】
自立度は、生活自立のＪランク、準寝たきりのランクＡ、寝たきりのランクＢとＣにレベル分けされるとともに各ランクはさらに２段階に区分されている。
本実施例では、ランク別に背景色を変え、色でランクを判断できるようにしてある。
【００３４】
次に、一覧表の中で色が反転された行について説明する。
色が反転表示されるのは、患者の最新の褥瘡評価において、多数の褥瘡評価項目の中で１つでも前回評価より悪化した項目があることを条件としている。
従って、褥瘡管理者は、多数の患者の中から、この一覧表を見るだけで、褥瘡状態の進行状況の如何にかかわらず、褥瘡管理において注意すべき患者を一目瞭然に判別することができる。
【００３５】
また本発明によれば、前記のように、褥瘡状態の悪化した患者の欄のみ指定色で着色する方法をとらず、褥瘡状態の進行状況に応じて、治癒、変化無し、軽快、悪化に区分し、夫々に対応して、指定色を決め、当該患者の欄を指定色で着色すれば、患者欄の色の違いで、褥瘡状態の進行状況を簡単に把握できる。
【００３６】
図４は、図３において、患者を選択すると共に、褥瘡アセスメントのアイコンをクリックすることで表示される褥瘡アセスメント画面であり、選択された患者のアセスメントに関する情報を入力することができる。
すなわち、この画面において、日常生活自立度、Ｋ式スケール値、大浦式スケール値、危険因子評価値、次回評価日などを入力することができる。
【００３７】
各項目については、前回、および前々回評価内容またはレベル値が表示されているので、新規入力値が前回値にたいして、軽快したのか、悪化したのか、変わらないのかを直接把握することができる。
このなかで、悪化したものがあれば、前述のように、一覧表において、当該患者の行は色が反転して表示される。
【００３８】
図５は、褥瘡管理の初期画面で褥瘡情報のアイコンをクリックすることにより表示される褥瘡情報画面であり、褥瘡記録（ＤＥＳＩＧＮ−Ｐ）や褥瘡のシェーマ図（人体図）が表示されている。褥瘡記録のなかには、前回および前々回のＤＥＳＩＧＮ−Ｐ値と内容が表示できるようになっている。
【００３９】
図６は、図５の褥瘡情報画面の褥瘡記録ボタンにタッチすることにより表示される褥瘡記録画面であり、この画面において、ＤＥＳＩＧＮ−Ｐ値を入力することができる。
【００４０】
図７は、褥瘡管理の初期画面で選択された対象患者の看護計画に関する情報を表示するもので、最新の看護計画と並べて、前回、および前々回の看護計画を表示できるようになっている。
【図面の簡単な説明】
【００４１】
【図１】本発明の１実施例における看護支援システムの概略構成図。
【図２】本発明の１実施例におけるナースコール親機の機能構成を示すブロック図。
【図３】本発明の１実施例における褥瘡管理の初期画面。
【図４】本発明の１実施例における褥瘡アセスメント画面。
【図５】本発明の１実施例における褥瘡情報画面。
【図６】本発明の１実施例における褥瘡記録画面。
【図７】本発明の１実施例における看護計画情報画面。
【符号の説明】
【００４２】
１１〜１ｎ    病室ユニット
２    ナースコール親機
３    ハンディナースコール主装置
４    構内交換機（ＰＢＸ）
５    公衆網
６    無線ユニット
７    ＬＡＮ
８    ハブ
９    看護支援パソコン
１０    プリンタ
２０    中央処理ユニット（ＣＰＵ）
２１    プログラムメモリ
２１ａ  褥瘡入力プログラム
２１ｂ  褥瘡評価プログラム
２１ｃ  褥瘡管理表作成プログラム
２２    データメモリ
２２ａ  褥瘡履歴データベース
２２ｂ  褥瘡評価基準マスタ
２２ｃ  在院履歴データベース
２３，２４    通信インタフェース
２５    ネットワークインタフェース
２６    通話インタフェース
２７    入力表示インタフェース
２７１  タッチパネル／表示器
６１，６２    無線基地局
７１〜７ｍ    携帯端末
【図１】
2006330951.tif 000003
【図４】
2006330951.tif 000004
【図２】
2006330951.tif 000005
【図３】
2006330951.tif 000006
【図５】
2006330951.tif 000007
【図６】
2006330951.tif 000008
【図７】
2006330951.tif 000009